【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】【請求項１】  トリガを光バイオディスク上にエンコードし、  前記トリガを検出し、  前記トリガを処理し、そして  前記トリガに関連するアクションを実行することを含むトリガ方法。【請求項２】  前記トリガは物理トリガである請求項１に記載の方法。【請求項３】  前記物理トリガは、前記光バイオディスクの表面に付加される請求項２に記載のトリガ方法。【請求項４】  前記検出するステップは、追加の検出器を用い、それによって前記トリガを検出することをさらに含む、請求項３に記載の方法。【請求項５】  前記処理するステップは、データプロセッサを用い、それによって前記物理トリガを処理することをさらに含む、請求項３に記載の方法。【請求項６】  前記トリガは、ユーザデータにエンコードされたトリガである請求項１に記載の方法。【請求項７】  前記トリガは、前記光バイオディスクのユーザデータ部分にエンコードされる請求項６に記載の方法。【請求項８】  前記処理するステップは、二次デコーディングコンポーネントを用い、それによって前記ユーザデータにエンコードされたトリガをデコードすることをさらに含む、請求項７に記載の方法。【請求項９】  前記トリガは論理トリガである請求項１に記載の方法。【請求項１０】  前記処理するステップは、一次デコーディングコンポーネントを用い、それによって前記論理トリガをデコードすることをさらに含む、請求項９に記載の方法。【請求項１１】  前記実行するステップは、前記一次デコーディングコンポーネントからの信号を監視し、それによって論理トリガがデコードされているかどうかを判定することをさらに含む、請求項１０に記載の方法。【請求項１２】  前記一次デコーディングコンポーネントは、光ディスクドライブ内の標準的なデコーディングコンポーネントである請求項１０に記載の方法。【請求項１３】  前記処理するステップは、二次デコーディングコンポーネントを用い、それによって前記論理トリガをデコードすることをさらに含む、請求項９に記載の方法。【請求項１４】  前記論理トリガは、前記光バイオディスクの１つまたは複数のピットにエンコードされる請求項９に記載の方法。【請求項１５】  前記論理トリガは、前記光バイオディスクの１つまたは複数のランドにエンコードされる請求項９に記載の方法。【請求項１６】  前記論理トリガは、前記光バイオディスクの１つまたは複数のグルーブにエンコードされる請求項９に記載のトリガ方法。【請求項１７】  前記論理トリガは、前記光バイオディスクの１つまたは山形マークにエンコードされる請求項９に記載のトリガ方法。【請求項１８】  前記論理トリガは、前記光バイオディスクのプリランドピットパターンにエンコードされる請求項９に記載の方法。【請求項１９】  前記光バイオディスクは、ＤＶＤ−Ｒ方式のディスクフォーマットに基づく請求項１８に記載の方法。【請求項２０】  前記光バイオディスクは、ＤＶＤ＋Ｒ方式のディスクフォーマットに基づく請求項１８に記載の方法。【請求項２１】  前記論理トリガは、前記プリランドピットパターンにエンコードされる標準的な仕様によって定義される制御情報にエンコードされる請求項１８に記載の方法。【請求項２２】  前記論理トリガは、前記標���的な仕様によって定義される前記制御情報中の標準的な機能である請求項２１に記載の方法。【請求項２３】  前記論理トリガは、前記標準的な仕様によって定義される前記制御情報中の予約ビットにエンコードされる請求項２１に記載の方法。【請求項２４】  前記論理トリガは、ウォブルグルーブと一致するピットパターンに含まれる請求項９に記載の方法。【請求項２５】  前記論理トリガは、前記光バイオディスクの前記ウォブルグルーブ内の変調信号にエンコードされる請求項９に記載の方法。【請求項２６】  前記光バイオディスクは、ＣＤ−Ｒディスクフォーマットに基づく請求項２５に記載の方法。【請求項２７】  前記光バイオディスクは、ＣＤ−ＲＷディスクフォーマットに基づく請求項２５に記載のトリガ方法。【請求項２８】  前記論理トリガは、タイムコード情報にエンコードされる請求項２５に記載の方法。【請求項２９】  前記論理トリガは、前記タイムコード情報の標準的な仕様による予め定義されたドライブ動作機能である請求項２８に記載の方法。【請求項３０】  前記論理トリガは、前記タイムコード情報の前記標準的な仕様によって定義される予約ビットにエンコードされる請求項２８に記載の方法。【請求項３１】  前記論理トリガは、前記タイムコード情報の前記標準的な仕様における未定義ビットにエンコードされる請求項２８に記載の方法。【請求項３２】  前記光バイオディスクは、ＤＶＤ−ＲＡＭ型のフォーマットのものである請求項９に記載の方法。【請求項３３】  前記論理トリガは、前記ＤＶＤ−ＲＡＭ型の光バイオディスクのヘッダアドレス情報にエンコードされる請求項３２に記載の方法。【請求項３４】  前記論理トリガは、前記光バイオディスクの関連するサンプルエリアをタグ付けするために用いられ、それにより該関連するサンプルエリアは識別されランダムにアドレス指定されることができる請求項３３に記載の方法。【請求項３５】  前記論理トリガは、前記ヘッダアドレスのＰＩＤフィールドにエンコードされる請求項３３に記載の方法。【請求項３６】  前記処理するステップは、  アドレスを読み取り、  該アドレスを予め定義されたアドレスのリストと突き合わせ、それによって前記アドレスがトリガであるかどうかを判定し、そして  前記アドレスにアクションを関連付けることをさらに含む、請求項３３に記載の方法。【請求項３７】  前記アクションは、特徴付けを開始することである請求項３６に記載の方法。【請求項３８】  前記アクションは、特徴付けを終了することである請求項３６に記載の方法。【請求項３９】  前記アクションは、データサンプリングの結果を前記光バイオディスク上の前記アドレスに関連する元のエリアに書き込むことである請求項３６に記載の方法。【請求項４０】  前記アクションは、前記光ディスクドライブの動作モードを変更することである請求項３６に記載の方法。【請求項４１】  前記論理トリガは、前記ヘッダアドレス情報の標準的な仕様による予め定義されたドライブ動作機能である請求項３３に記載の方法。【請求項４２】  前記論理トリガは、前記ヘッダアドレス情報の標準的な仕様によって定義される予約ビットにエンコードされる請求項３３に記載の方法。【請求項４３】  前記論理トリガは���前記ヘッダアドレス情報の標準的な仕様によって定義される未定義ビットにエンコードされる請求項３３に記載の方法。【請求項４４】  前記論理トリガは、前記光バイオディスク内に作製される請求項３３に記載の方法。【請求項４５】  前記論理トリガは、ソフトウェアプログラムによって前記光ディスクに書き込まれる請求項３３に記載の方法。【請求項４６】  前記論理トリガは、バイオディスクドライブの動作ロジック内に重畳される信号パターンである請求項９に記載の方法。【請求項４７】  前記信号パターンは、焦点情報セットから導出される請求項４６に記載の方法。【請求項４８】  前記信号パターンは、トラッキング情報セットから導出される請求項４６に記載の方法。【請求項４９】  前記信号パターンは、瞬時に動作機能を行う能力を下げることなく同期情報セットから導出される請求項４６に記載の方法。【請求項５０】  前記信号パターンは、反射された動作信号に重畳される請求項４６に記載の方法。【請求項５１】  前記信号パターンは、透過された信号に重畳される請求項４６に記載の方法。【請求項５２】  前記論理トリガは、前記動作ロジックによって生成された信号が主経路においてデコードされる間に別個のデコーディング経路においてデコードされる請求項４６に記載の方法。【請求項５３】  前記信号パターンは、前記光ディスクアセンブリにおける化学変化によって呼び出される請求項４６に記載の方法。【請求項５４】  前記化学変化は瞬間的である請求項５３に記載の方法。【請求項５５】  前記化学変化は所定期間にわたって反応する請求項５３に記載の方法。【請求項５６】  前記所定期間は予め決められている請求項５３に記載の方法。【請求項５７】  前記化学変化は、前記光バイオディスクの回転により生じる運動エネルギーを加えることによってトリガされる請求項５３に記載の方法。【請求項５８】  前記化学変化は、レーザ光の偏光の変化を生じる請求項５３に記載の方法。【請求項５９】  前記偏光の変化は、偏光の形状の円形から楕円形への変化である請求項５８に記載の方法。【請求項６０】  前記論理トリガは、前記光バイオディスク上に干渉特徴を付加することによって前記デコーディング経路の一次または二次信号中に作成される請求項９に記載の方法。【請求項６１】  前記干渉特徴は、透過された信号中にトリガ情報を作成する請求項６０に記載の方法。【請求項６２】  前記エンコードするステップは、前記論理トリガを既存の誤り訂正方式において認識される未使用のリーガルワードとしてエンコードすることをさらに含む請求項９に記載の方法。【請求項６３】  前記既存の誤り訂正方式はＥＦＭである請求項６２に記載の方法。【請求項６４】  前記エンコードするステップは、  前記論理トリガを既存の誤り訂正方式では認識されないイリーガルワードとしてエンコードし、そして  前記論理トリガが任意の他の論理トリガから十分な距離にあり、前記既存の誤り訂正方式において訂正不能な誤り信号が生成されないことを確実にすることをさらに含む、請求項９に記載の方法。【請求項６５】  前記誤り訂正方式はＥＦＭである請求項６４に記載の方法。【請求項６６】  前記訂正不能な誤り信号はＣ１型またはＣ２型のものである請求項６��に記載の方法。【請求項６７】  前記訂正不能な誤り信号はＰＩ型またはＰＯ型のものである請求項６４に記載の方法。【請求項６８】  前記トリガをエンコードするステップは、  ディスク上の物理的な位置と複数のユーザデータファイルのサイズとの間の相関を計算し、  ルックアップテーブルを構成し、そして  前記複数のユーザデータファイルをトリガとして書き込むことをさらに含む請求項１に記載の方法。【請求項６９】  前記処理するステップは、二次デコーディングコンポーネントを用い、それによって前記ルックアップテーブルを用いて前記ユーザデータファイルを物理的な場所と相関させることをさらに含む、請求項６８に記載の方法。【請求項７０】  前記実行するステップは、前記ユーザデータファイルに格納されている情報によって指定されるアクションを実行することをさらに含む請求項６９に記載の方法。【請求項７１】  前記アクションはドライブ機能である請求項７０に記載の方法。【請求項７２】  前記ドライブ機能は、１回目のデータサンプリングを開始するためのコマンドである請求項７１に記載の方法。【請求項７３】  前記動作機能は、２回目のデータサンプリングを開始するためのコマンドである請求項７２に記載の方法。【請求項７４】  前記ユーザデータファイルとともに複数の論理トリガを用いるステップをさらに含む請求項７０に記載の方法。【請求項７５】  前記ユーザデータファイルとともに複数の物理トリガを用いるステップをさらに含む請求項７０に記載の方法。【請求項７６】  前記アクションは、設定された期間のあいだのみ実行される請求項１に記載の方法。【請求項７７】  前記アクションは、サンプルのデータサンプリングを開始することである請求項１に記載の方法。【請求項７８】  前記アクションは、タイマを開始することである請求項１に記載の方法。【請求項７９】  前記アクションは、タイマを停止することである請求項１に記載の方法。【請求項８０】  前記アクションは、検査特徴の特徴付けを開始することである請求項１に記載の方法。【請求項８１】  前記アクションは、検査特徴の特徴付けを終了することである請求項１に記載の方法。【請求項８２】  前記アクションは、前記光バイオディスクを読み取るドライブのレーザを再集光することである請求項１に記載の方法。【請求項８３】  前記アクションは、前記光バイオディスクを読み取るドライブのヘッドを再位置決めすることである請求項１に記載の方法。【請求項８４】  前記アクションは、前記バイオディスクの回転速度を変更することである請求項１に記載の方法。【請求項８５】  前記アクションは、前記光バイオディスクを読み取るドライブの動作モードを変更することである請求項１に記載の方法。【請求項８６】  前記アクションは、前記光バイオディスクに書き込むドライブの書き込みレーザのパワーを上げることである請求項１に記載の方法。【請求項８７】  前記アクションは、前記光バイオディスクを読み取るドライブの読み取りレーザのパワーを上げることである請求項１に記載の方法。【請求項８８】  前記アクションは、前記光バイオディスクの回転を中断することである請求項１に記載の方法。【請求項８９】  アドレス指定可能な光バイオディスクを読���取る方法であって、  前記光バイオディスクを光バイオドライブに入れ、  前記光バイオディスク上のトリガを検出し、  前記トリガをデコードし、それによってアドレスを取得し、そして  前記アドレスを用い、それによって関連アクションを行うことを含む、方法。【請求項９０】  前記光バイオディスクはＤＶＤ−ＲＡＭフォーマットに基づく、請求項８９に記載の方法。【請求項９１】  前記トリガは、前記ＤＶＤ−ＲＡＭ方式の光バイオディスクのヘッダアドレスシステムである、請求項９０に記載の方法。【請求項９２】  前記トリガは、前記光バイオディスク上の関連するサンプルエリアの一方の側に設けられる、請求項８９に記載の方法。【請求項９３】  前記トリガはスポットアドレストリガである、請求項９２に記載の方法。【請求項９４】  前記スポットアドレストリガは、  リードイン信号を表す暗いトリガ、および  前記関連するサンプルエリアのバイナリアドレスを表す複数の暗いトリガおよび明るいトリガとをさらに含む、請求項９３に記載の方法。【請求項９５】  前記検出するステップは、  前記暗いトリガをデコードし、そして  プロセスを初期化し、それによって前記関連するサンプルエリアの特徴付けに備えることをさらに含む、請求項９４に記載の方法。【請求項９６】  前記検出するステップは、前記複数の暗いトリガおよび明るいトリガをデコードし、それによって前記関連するサンプルエリアのアドレスを取り出すことをさらに含む、請求項９４に記載の方法。【請求項９７】  前記トリガはチャンクアドレストリガである、請求項９２に記載の方法。【請求項９８】  前記チャンクアドレストリガは、  前記関連するサンプルエリア内の各部分を識別するバイナリエンコーディングを表す複数の暗いトリガおよび明るいトリガ、ならびに  リードアウト信号を表す暗いトリガとをさらに含む、請求項９７に記載の方法。【請求項９９】  前記検出するステップは、  前記暗いトリガをデコードし、そして  前記関連するサンプルエリアの特徴付けプロセスを終了することをさらに含む、請求項９７に記載の方法。【請求項１００】  前記検出するステップは、前記複数の暗いトリガおよび明るいトリガを、前記関連するサンプルエリアの各部分を識別する識別子にデコードすることをさらに含む、請求項９７に記載の方法。【請求項１０１】  前記アクションは、検査特徴の特徴付けの変化を開始することである、請求項８９に記載の方法。【請求項１０２】  サンプルエリア、および  光バイオディスクの動作コンポーネント内にエンコードされたトリガとを備える光バイオディスク。【請求項１０３】  前記トリガは論理トリガである請求項１０２に記載の光バイオディスク。【請求項１０４】  前記論理トリガは、該光バイオディスクの１つまたは複数のピットにエンコードされる請求項１０３に記載の光バイオディスク。【請求項１０５】  前記論理トリガは、該光バイオディスクの１つまたは複数のランドにエンコードされる請求項１０３に記載の光バイオディスク。【請求項１０６】  前記論理トリガは、該光バイオディスクの１つまたは複数のグルーブにエンコードされる請求項１０３に記載の光バイオディスク。【請求項１０７】  前記論理トリガは、光バイオディスクのウォブル��ルーブの変調信号のタイムコード情報にエンコードされる請求項１０３に記載の光バイオディスク。【請求項１０８】  前記論理トリガは、前記タイムコード情報の標準的な仕様による予め定義されたドライブ動作機能である請求項１０７に記載の光バイオディスク。【請求項１０９】  前記論理トリガは、前記タイムコード情報の前記標準的な仕様によって定義される予約ビットにエンコードされる請求項１０７に記載の光バイオディスク。【請求項１１０】  前記論理トリガは、前記タイムコード情報の前記標準的な仕様によって定義される未定義ビットにエンコードされる請求項１０７に記載の光バイオディスク。【請求項１１１】  ＤＶＤ−ＲＡＭ型のフォーマットのものである請求項１０３に記載の光バイオディスク。【請求項１１２】  前記論理トリガは、前記ＤＶＤ−ＲＡＭ型の光バイオディスクのヘッダアドレス情報にエンコードされる請求項１１１に記載の光バイオディスク。【請求項１１３】  前記論理トリガは、該光バイオディスクの関連するサンプルエリアのタグ付けに用いられ、それにより該関連するサンプルエリアは識別されランダムにアドレス指定されることができる請求項１１２に記載の光バイオディスク。【請求項１１４】  前記論理トリガは、前記ヘッダアドレスのＰＩＤフィールドにエンコードされる請求項１１２に記載の光バイオディスク。【請求項１１５】  前記論理トリガは、既存の誤り訂正方式において認識されるリーガルワードとしてエンコードされる請求項１０３に記載の光バイオディスク。【請求項１１６】  前記論理トリガは、既存の誤り訂正方式では認識されないイリーガルワードとしてエンコードされる請求項１０３に記載の光バイオディスク。【請求項１１７】  既知のサイズの複数のユーザデータファイルを有する光バイオディスクと、  前記複数のユーザデータファイルを読み取るように構成されており、該複数のユーザデータファイルを読み取ることによって前記光バイオディスク上の複数の物理的な場所にアクセスできるようにする光ディスクドライブとを備えるトリガシステム。【請求項１１８】  前記光ディスクドライブは、前記ユーザデータファイルと前記光バイオディスク上の前記物理的な場所との間の計算された相関を照合するルックアップテーブルを参照して二次デコーディングコンポーネントをさらに備える請求項１１７に記載のトリガシステム。【請求項１１９】  前記光ディスクドライブは、前記複数のユーザデータファイルのうちの１つに格納されている情報によって指定されるアクションを実行する請求項１１７に記載のトリガシステム。【請求項１２０】  前記アクションはドライブ機能である請求項１１９に記載のトリガシステム。【請求項１２１】  前記ドライブ機能は、１回目のデータサンプリングを開始するためのコマンドである請求項１２０に記載のトリガシステム。【請求項１２２】  前記動作機能は、２回目のデータサンプリングを開始するためのコマンドである請求項１２１に記載のトリガシステム。【請求項１２３】  前記複数のユーザデータファイルとともに複数の論理トリガが前記光バイオディスク上にエンコードされる請求項１１８に記載のトリガシステム。